(57)【特許請求の範囲】
【請求項１】
画像表示領域を有する電気光学パネルと、
前記電気光学パネルの一方の面に貼り合わされた基板と、
前記基板の端部を支持する支持部を有する保持部材と、
前記基板と前記保持部材の前記支持部との間の一部に配置された第１接着剤と、
前記基板と前記保持部材の前記支持部との間の他の一部に配置された第２接着剤と、を備え、
前記画像表示領域は、対向する二辺である第１辺及び第２辺と、前記第１辺及び前記第２辺と交差した辺である第３辺と、前記第３辺と対向する辺である第４辺と、を有し、
前記第１接着剤は、前記基板と前記支持部とが重なる部分のうち、前記第１辺を延ばした直線と前記第２辺を延ばした直線と前記第３辺と前記基板の辺とで囲われた領域のみに位置し、
前記第２接着剤は、前記基板と前記支持部とが重なる部分のうち、前記第１辺を延ばした直線と前記第２辺を延ばした直線と前記第４辺と前記基板の辺と対向する辺とで囲われた領域のみに位置していることを特徴とする電気光学装置。
【請求項２】
画像表示領域を有する電気光学パネルと、
前記電気光学パネルの一方の面に貼り合わされた基板と、
前記基板の端部を支持する支持部を有する保持部材と、
前記基板と前記保持部材の前記支持部との間の一部に配置された第１接着剤と、
前記基板と前記保持部材の前記支持部との間の他の一部に配置された第２接着剤と、を備え、
前記画像表示領域は、対向する二辺である第１辺及び第２辺と、前記第１辺及び前記第２辺と交差した辺である第３辺と、前記第３辺と対向する辺である第４辺と、を有し、
前記第１接着剤は、前記基板と前記支持部とが重なる部分のうち、前記第１辺を延ばした直線と前記第２辺を延ばした直線と前記第３辺と前記基板の辺とで囲われた領域のみに位置し、
前記第２接着剤は、前記基板と前記支持部とが重なる部分のうち、前記第３辺を延ばした直線と前記第４辺を延ばした直線と前記第１辺と前記基板の辺と対向する辺とで囲われた領域のみに位置していることを特徴とする電気光学装置。
【請求項３】
請求項１または２に記載の電気光学装置において、
前記第１接着剤及び前記第２接着剤は、前記基板と前記支持部とが重なる部分のうち、前記第１辺を延在した直線と前記第３辺を延在した直線と前記基板の２辺とで囲われた領域である角部とは異なる領域にそれぞれ位置していることを特徴とする電気光学装置。
【請求項４】
請求項１乃至３の何れか一項に記載の電気光学装置において、
前記基板の外形形状は、前記電気光学パネルの外形形状よりも大きいことを特徴とする電気光学装置。
【請求項５】
請求項１乃至４の何れか一項に記載の電気光学装置において、
前記支持部は、前記電気光学パネルの前記画像表示領域に向けて凸状に突出するように形成されていることを特徴とする電気光学装置。
【請求項６】
請求項１乃至５の何れか一項に記載の電気光学装置において、
前記支持部は、接着用開口部を有し、
前記第１接着剤は、前記接着用開口部に充填されていることを特徴とする電気光学装置。
【請求項７】
請求項１乃至６の何れか一項に記載の電気光学装置において、
前記保持部材は、外部部材に固定する貫通穴を有することを特徴とする電気光学装置。
【請求項８】
請求項１乃至７の何れか一項に記載の電気光学装置を具備することを特徴とする電子機器。
【発明の詳細な説明】
【技術分野】
【０００１】
本発明は、例えば液晶ライトバルブ等の電気光学装置、及びこれを備えてなる、例えば液晶プロジェクター等の電子機器の技術分野に関する。
【背景技術】
【０００２】
この種の電気光学装置は、例えば液晶パネル等の電気光学パネルが実装ケースに実装或いは収容されてなり、例えば液晶プロジェクター等のライトバルブとして用いられる。例えば特許文献１では、反射型の液晶パネルが、光源光が入射する入射面の反対側から、放熱部材と一体的に形成された保持部材によって固定されている。
【先行技術文献】
【特許文献】
【０００３】
【特許文献１】特開２００５−１３４５６７号公報
【発明の概要】
【発明が解決しようとする課題】
【０００４】
しかしながら、上述の特許文献１では、保持部材に生じた応力が液晶パネルに伝達されることにより、液晶パネルの表示画像に色むらが発生し、表示画質が低下してしまうという技術的問題点がある。例えば、この主の電気光学装置は、液晶プロジェクターなどの電子機器に取り付けられる際に、保持部材を電子機器の壁面等にボルトなどによって取り付けることがある。ボルトで締め付ける際、保持部材には締め付け力に対応する歪みが生じるため、応力が発生する。また、放熱部材が有する放熱性能を超える発熱が生じた場合、保持部材が変形する（即ち、熱膨張しようとする）ことによってもまた、応力が発生する。このような応力が液晶パネルに伝達されると、液晶パネルの基板間ギャップを変異させ、表示画像に色むらが生じてしまう。
【０００５】
本発明は、例えば上記問題点に鑑みてなされたものであり、装置内部に発生する応力を抑制することにより、色むらが少なく高品位な画像表示が可能な電気光学装置、及びこれを備えてなる電子機器を提供することを課題とする。
【課題を解決するための手段】
【０００６】
本発明の電気光学装置は上記課題を解決するために、電気光学パネルと、前記電気光学パネルの一方の面に貼り合わされた防塵用基板と、前記防塵用基板の端部を支持する支持部と、前記電気光学パネルを囲むように配置される本体部とを有する保持部材とを備える。
【０００７】
本発明に係る電気光学パネルは、例えば、液晶パネルであり、光源光を画素領域において透過又は反射することによって画像を表示する。光源光は例えば白色ランプ等であり、その動作時に画素領域に対して照射される。画素領域には、例えば複数の画素がマトリクス状に配置されており、走査信号を供給する走査線及び画像信号を供給するデータ線に夫々電気的に接続されている。各画素は、画像信号の電位に応じて、対向配置された液晶等の電気光学物質の配向状態を制御する。
【０００８】
本発明に係る「保持部材」は、電気光学パネルを保持するための部材であって、本体部と支持部とを有して構成されている。
【０００９】
保持部材の本体部は、電気光学パネルを囲むように配置されている。本体部は、内側に配置されている電気光学パネルを外的要因から保護すると共に、電気光学装置を被実装部材に取り付ける際に使用するボルトなどを貫通させる部位であるため、典型的には十分な剛性度を有するように形成されている。
【００１０】
保持部材の支持部は、防塵用基板の端部を支持する。例えば、防塵用基板の外形形状が電気光学パネルの外形形状より大きいために、当該防塵用基板の端部が電気光学パネルより外側に張り出している場合、当該張り出した部分に支持部が接することによって、防塵用基板に貼り合わされた電気光学パネルが支持部によって支持される。つまり、保持部材の本体部において発生した応力は、防塵用基板及び保持部の支持部を介して、電気光学パネルに間接的に伝達される。そのため、保持部材から直接的に電気光学パネルに応力が伝達される場合に比べて、電気光学パネルが受ける応力を軽減することができる。
【００１１】
尚、防塵用基板は支持部に対して直接的に接触していてもよいし、接着剤やグリスなどを介して間接的に接触することにより支持されていてもよい。また、支持部は、本体部と一体的に形成されていてもよいし、互いに固定された別々の部材で形成されていてもよい。
【００１２】
以上説明したように、本発明によれば電気光学パネルに応力が印加されにくく、色むらの少ない高品位な画像表示が可能な電気光学装置を実現することができる。
【００１３】
本発明の電気光学装置の一の態様では、前記防塵用基板の外形形状は、前記電気光学パネルの外形形状よりも大きい。
【００１４】
この態様によれば、電気光学パネルより外側に張り出している防塵用基板の端部に支持部が接することによって、防塵用基板に貼り合わされた電気光学パネルが支持部によって支持される。つまり、保持部材の本体部において発生した応力は、防塵用基板及び保持部の支持部を介して、電気光学パネルに間接的に伝達される。そのため、保持部材から直接的に電気光学パネルに応力が伝達される場合に比べて、電気光学パネルが受ける応力を軽減することができる。
【００１５】
本発明の電気光学装置の他の態様では、前記本体部は、被実装部材側に突出するように形成された取付部を有し、前記支持部は、前記取付部に比べて凹むように形成されている。
【００１６】
この態様によれば、本体部は、被実装部材側に突出した取付部を有している。ここで被実装部材とは、当該電気光学装置が取り付けられる対象である外部の部材である限りにおいて限定されず、その物理的、機械的又は電気的構成を問わない各種の態様を採り得る。例えば、当該電気光学装置が液晶プロジェクター等の電子機器に取り付けられるライトバルブとして用いられる場合、ライトバルブを液晶プロジェクターに固定するための固定治具である。
【００１７】
取付部は被実装部材に対して、例えばボルトなどによって取り付けられる。この場合、ボルトを締め付けた際にボルトが接触する本体部及び被実装部材に歪みが生じ、応力が発生しやすい。しかしながら、このように発生した応力は、上述のように、保持部材の支持部において軽減されるため、電気光学パネルに伝達されにくい。本態様では、このようにボルトによって保持部材が締め付けられた場合であっても応力を軽減可能であるため、電気光学パネルの表示画像における色むらを効果的に抑制することができる。
【００１８】
一方、支持部は、取付部に比べて凹むように設けられているため、取付部が被実装部材に取り付けられた際に、保持部材は取付部においてのみ被実装部材に接触する。即ち、被実装部材に保持部材を取り付けた際に、支持部は被実装部材に接触せず、支持部の表面には構造的に余裕が存在する。本態様では、このような余裕空間に防塵用基板が接するように配置することで、効率的なレイアウトで本発明に係る電気光学装置を実現することができる。
【００１９】
本発明の電気光学装置の他の態様では、前記本体部は、前記電気光学パネルの画素領域に対応する開口部を有しており、前記支持部は、前記開口部の縁に沿って形成されている。
【００２０】
この態様によれば、支持部は開口部の縁に沿って形成されており、防塵用基板の縁部の全周に亘って支持部が接している。そのため、防塵用基板、及び防塵用基板に貼り合わされた電気光学パネルは保持部材内に安定的に固定される。
【００２１】
本発明の電気光学装置の他の態様では、前記支持部は、平面的に見て、前記本体部から凸状に突出するように形成されている。
【００２２】
この態様によれば、支持部は凸状に形成されているため、支持部が広く形成されている場合に比べて、防塵用基板との接触面積を減少させることができる。支持部から防塵用基板に伝達される応力の大きさは、支持部と防塵用基板との接触面積に依存するため、このように接触面積を減少させることにより、防塵用基板、及び防塵用基板に貼り合わされた電気光学パネルに印加される応力を軽減することができる。
【００２３】
本発明の電気光学装置の他の態様では、前記支持部は、接着用開口部を有し、前記防塵用基板は、該接着用開口部に充填された接着剤により、前記支持部に固定されている。
【００２４】
この態様によれば、支持部に形成された接着用開口部に接着剤を充填することにより、支持部に防塵用基板を固定することができる。上述のように、電気光学パネルに伝達される応力を軽減するためには、電気光学パネルに貼り合わされた防塵用基板と支持部との接触面積を減少させることが好ましいが、その反面、支持部によって支持された防塵用基板の安定性も同時に損なわれてしまうおそれがある。本態様では、このような場合であっても、防塵用基板を支持部に接着剤によって固定することができるので、防塵用基板の安定性を確保しつつ、電気光学パネルに伝達される応力を軽減することができる。
【００２５】
本発明の電気光学装置の他の態様では、前記防塵用基板の前記電気光学パネルに貼り合わされた面とは反対側から、前記防塵用基板及び前記本体部に接するように設けられており、平面的に見て、前記電気光学パネルの画素領域を少なくとも部分的に囲むように形成された遮光板を備える。
【００２６】
この態様によれば、遮光板は、電気光学パネルの画素領域を少なくとも部分的に囲むように形成されている。遮光板は、例えば、いわゆる見切り板である。遮光板の材料としては、遮光板の周辺に配置される部材（例えば、保持部材など）に比べて光反射性の低い材料を用いるとよい。
【００２７】
本発明では特に、遮光板は、防塵用基板の電気光学パネルに貼り合わされた面とは反対側から、保持部材及び防塵用基板に接するように設けられている。遮光板は典型的には板形状を有しているので、保持部材に比べて弾性を有する。従って、表示面側（即ち、光源光の入射する側）から遮光板によって保持することによって、保持部材において生じた応力は遮光板の弾性によって吸収され、電気光学パネルに伝達される応力を軽減することができる。
【００２８】
本発明の電気光学装置の他の態様では、前記電気光学パネルの前記防塵用基板が貼り合わされた面とは反対側に設けられた放熱部材を備える。
【００２９】
この態様によれば、放熱部材は、画像表示に関わる光源光の光路を妨げないように、電気光学パネルの裏面側に設けられており、例えばアルミニウム（Ａｌ）や銅（Ｃｕ）等の金属材料により形成される。このように、放熱部材では、電気光学パネルで発生する熱を効率良く熱伝導させて、放熱することができる。このように電気光学パネル放熱性を向上させることによって、発熱による保持部材などの電気光学装置の構成部材の歪み（即ち、応力の発生）を抑制することができる。
【００３０】
この場合、前記放熱部材は、前記保持部材と一体的に形成されているとよい。
【００３１】
この態様によれば、放熱部材と保持部材が別部材として形成された場合に比べて、全体の剛性度を向上させることができる。そのため、仮に電気光学装置に応力が発生した場合であっても、放熱部材と保持部材が別部材として形成された場合に比べて、応力を小さく留めることができる。従って、電気光学パネルに伝達される応力もまた軽減することが可能であり、表示画像における色ムラを更に抑制することができる。
【００３２】
また、前記放熱部材の前記電気光学パネルとの対向する面とは反対側から、前記放熱部材を前記保持部材に固定するためのフック部材を備えてもよい。
【００３３】
この態様によれば、放熱部材をフック部によって固定することにより、例えば放熱部材をネジ等によって固定する場合に比べて、電気光学パネル及び保持部材に対して応力が印加されることを抑制することができる。
【００３４】
本発明の電気光学装置の他の態様では、前記電気光学パネルは反射型である。
【００３５】
この態様によれば、電気光学パネルは、光源光を表示領域において反射することによって画像を表示する。光源光は例えば白色ランプ等であり、その動作時に表示領域に対して照射される。電気光学パネルは、例えば表示領域に入射した光を画素単位で変調した後、Ａｌ（アルミニウム）膜等の反射膜によって反射することにより画像を表示する。
【００３６】
本発明の電子機器は上記課題を解決するために、上述した本発明の電気光学装置（但し、その各種態様も含む）を備える。
【００３７】
本発明の電子機器によれば、上述した本発明に係る電気光学装置を具備してなるので、信頼性が高く、高品質な画像を表示可能な投射型表示装置、テレビ、携帯電話、電子手帳、ワードプロセッサー、ビューファインダー型又はモニタ直視型のビデオテープレコーダー、ワークステーション、テレビ電話、ＰＯＳ端末、タッチパネルなどの各種電子機器を実現できる。また、本発明の電子機器として、例えば電子ペーパーなどの電気泳動装置等も実現することも可能である。
【００３８】
本発明の作用及び他の利得は次に説明する発明を実施するための形態から明らかにされる。
【図面の簡単な説明】
【００３９】
【図１】第１実施形態に係る電気光学装置が備える液晶パネルの全体構成を示す平面図である。
【図２】図１のＨ−Ｈ´線断面図である。
【図３】第１実施形態に係る電気光学装置が備える液晶パネルの画像表示領域を構成するマトリクス状に形成された複数の画素における各種素子、配線等の等価回路図である。
【図４】第１実施形態に係る電気光学装置の全体構成を示す斜視図である。
【図５】図４のＩ−Ｉ´断面図である。
【図６】第１実施形態に係る電気光学装置からフレームを抽出して、光源光が入射する側から示した平面図である。
【図７】第１実施形態に係る電気光学装置が外部部材に取り付けられた場合に生じる応力を模式的に示す断面図である。
【図８】第２実施形態に係る電気光学装置からフレームを抽出して、光源光が入射する側から示した平面図である。
【図９】第３実施形態に係る電気光学装置の全体構成を示す斜視図である。
【図１０】電気光学装置を適用した電子機器の一例たるプロジェクターの構成を示す平面図である。
【発明を実施するための形態】
【００４０】
以下では、本発明の実施形態について図を参照しつつ説明する。以下の実施形態では、電気光学パネルの一例であるＴＦＴアクティブマトリクス駆動方式の反射型の液晶パネルを備える電気光学装置を例にとる。
【００４１】
＜電気光学装置＞
＜第１実施形態＞
まず、本実施形態に係る電気光学装置が備える液晶パネル１００の全体構成について、図１及び図２を参照して説明する。図１は、本実施形態に係る電気光学装置が備える液晶パネル１００の全体構成を示す平面図である。図２は、図１のＨ−Ｈ´線断面図である。
【００４２】
液晶パネル１００は、ＴＦＴアレイ基板１０と対向基板２０とが対向配置されて構成されている。ＴＦＴアレイ基板１０は、例えば単結晶シリコン基板又はガラス基板若しくは石英基板等の透明基板からなり、対向基板２０は、例えばガラス基板、石英基板等の透明基板からなる。ＴＦＴアレイ基板１０と対向基板２０との間には液晶層５０が封入されている。液晶層５０は、例えば一種又は数種類のネマティック液晶を混合した液晶からなり、一対の配向膜間で所定の配向状態をとる。
【００４３】
ＴＦＴアレイ基板１０と対向基板２０とは、複数の画素電極が設けられた画像表示領域１０ａの周囲に位置するシール領域に設けられたシール材５２により、相互に接着されている。尚、画像表示領域１０ａは、本発明に係る「画素領域」の一例である。
【００４４】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、基板間ギャップ）を所定値とするためのグラスファイバー或いはガラスビーズ等のギャップ材が散布されている。尚、ギャップ材を、シール材５２に混入されるものに加えて若しくは代えて、画像表示領域１０ａ又は画像表示領域１０ａの周辺に位置する周辺領域に、配置するようにしてもよい。
【００４５】
シール材５２が配置されたシール領域の内側に並行して、画像表示領域１０ａの額縁領域を部分的に規定する遮光性の額縁遮光膜５３が、対向基板２０側に設けられている。対向基板２０側に設けられた額縁遮光膜５３は、画像表示領域１０ａを部分的に規定している。
【００４６】
周辺領域のうち、シール材５２が配置されたシール領域の外側に位置する領域には、ＴＦＴアレイ基板１０の一辺に沿って、データ線駆動回路１０１及び外部回路接続端子１０２が設けられている。走査線駆動回路１０４は、この一辺に隣接する２辺に沿い、且つ、額縁遮光膜５３に覆われるように設けられている。更に、このように画像表示領域１０ａの両側に設けられた二つの走査線駆動回路１０４間を接続するために、ＴＦＴアレイ基板１０の残る一辺に沿い、且つ、額縁遮光膜５３に覆われるようにして複数の配線１０５が設けられている。
【００４７】
ＴＦＴアレイ基板１０上における対向基板２０の４つのコーナー部に対向する領域には、両基板間を上下導通材１０７で接続するための上下導通端子１０６が配置されている。これらにより、ＴＦＴアレイ基板１０と対向基板２０との間で電気的な導通をとることができる。
【００４８】
図２に示すように、ＴＦＴアレイ基板１０上には、駆動素子である画素スイッチング用のＴＦＴや走査線、データ線等の配線が作り込まれた積層構造が形成されている。この積層構造の詳細な構成については図２では図示を省略してあるが、この積層構造の上に、反射電極となる反射型の画素電極９ａが設けられている。画素電極９ａは典型的にはアルミニウムなどの光反射性の高い材料により、画素毎に所定のパターンで島状に形成され、入射光を反射する。
【００４９】
画素電極９ａは、対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００５０】
対向基板２０におけるＴＦＴアレイ基板１０との対向面上には、ＩＴＯ等の透明材料からなる対向電極２１が複数の画素電極９ａと対向するように形成されている。また、画像表示領域１０ａにおいてカラー表示を行うために、開口領域及び非開口領域の一部を含む領域に、図２には図示しないカラーフィルターが形成されてもよい。対向基板２０のＴＦＴアレイ基板１０に対する対向面上において、対向電極２１上には、配向膜２２が形成されている。尚、透過型の液晶装置と同様に、対向基板２０上に格子状又はストライプ状に遮光膜を形成し、非開口領域を設けてもよい。
【００５１】
尚、図１及び図２に示したＴＦＴアレイ基板１０上には、上述したデータ線駆動回路１０１、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該液晶パネル１００の品質、欠陥等を検査するための検査回路等を形成してもよい。
【００５２】
次に、本実施形態に係る液晶パネル１００の画素部の電気的な構成について、図３を参照して説明する。ここに図３は、本実施形態に係る電気光学装置が備える液晶パネル１００の画像表示領域１０ａを構成するマトリクス状に形成された複数の画素における各種素子、配線等の等価回路図である。
【００５３】
図３において、画像表示領域１０ａを構成するマトリクス状に形成された複数の画素の各々には、画素電極９ａ及びＴＦＴ３０が形成されている。ＴＦＴ３０は、画素電極９ａに電気的に接続されており、液晶パネル１００の動作時に画素電極９ａをスイッチング制御する。画像信号が供給されるデータ線６ａは、ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００５４】
ＴＦＴ３０のゲートには、走査線３ａが電気的に接続されており、液晶パネル１００は、所定のタイミングで、走査線３ａにパルス的に走査信号Ｇ１、Ｇ２、・・・、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎが所定のタイミングで書き込まれる。画素電極９ａを介して液晶に書き込まれた所定レベルの画像信号Ｓ１、Ｓ２、・・・、Ｓｎは、対向基板に形成された対向電極との間で一定期間保持される。
【００５５】
液晶層５０（図２参照）を構成する液晶は、印加される電圧レベルにより分子集合の配向や秩序が変化することにより、光を変調し、階調表示を可能とする。例えば、ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号に応じたコントラストをもつ光が出射される。
【００５６】
ここで保持された画像信号がリークすることを防ぐために、画素電極９ａと対向電極２１（図２参照）との間に形成される液晶容量と並列に蓄積容量７０が付加されている。蓄積容量７０は、画像信号の供給に応じて各画素電極９ａの電位を一時的に保持する保持容量として機能する容量素子である。蓄積容量７０の一方の電極は、画素電極９ａと並列してＴＦＴ３０のドレインに電気的に接続され、他方の電極は、定電位となるように、電位固定の容量線３００に電気的に接続されている。蓄積容量７０によれば、画素電極９ａにおける電位保持特性が向上し、コントラスト向上やフリッカーの低減といった表示特性の向上が可能となる。
【００５７】
次に、本実施形態に係る電気光学装置の全体構成について、図４を参照して説明する。ここに図４は、本実施形態に係る電気光学装置１の全体構成を示す斜視図である。図５は図４のＩ−Ｉ´断面図である。尚、図４以降の図では、図１及び図２に示した液晶パネル１００における詳細な部材を適宜省略して図示している。
【００５８】
本実施形態に係る電気光学装置は、液晶パネル１００、フレキシブル基板２００、フレーム３１０、ヒートシンク３２０、防塵用基板４００及び見切り板６００を備えて構成されている。尚、フレーム３１０は本発明に係る「保持部材」の一例であり、ヒートシンク３２０は本発明に係る「放熱部材」の一例であり、防塵用基板４００は本発明に係る「防塵用基板」の一例であり、見切り板６００は本発明に係る「遮光板」の一例である。
【００５９】
図４及び図５では図示を省略しているが、フレキシブル基板２００は、液晶パネル１００の外部接続端子１０２に接合されている。フレキシブル基板２００は、上述の液晶パネル１００の電気光学動作に要する種々の制御信号を送るための信号配線を含む基板であり、例えばポリイミド等の基材に信号配線等がパターニングされることによって形成されている。尚、フレキシブル基板２００上には、液晶パネル１００を駆動するための駆動回路の少なくとも一部を含む駆動用ＩＣチップ等が配置されていてもよい。尚、フレキシブル基板２００の液晶パネル１００に接続された一端とは反対側の他端は、フレーム３１０及びヒートシンク３２０の外側に引き出されており、液晶パネル１００の電気光学動作に要する種々の制御信号を供給するための外部回路（図示省略）に接続されている。
【００６０】
フレーム３１０は、防塵用基板４００が配置される部位である第１支持部３１２、見切り板６００を配置される部位である支持部３１３、及び本発明の「被実装部材」の一例である外部部材に電気光学装置１を取り付けるための取付部を有する本体部３１４から構成されている。フレーム３１０は、例えば鉄、銅、アルミニウム、マグネシウム等の熱導電性に優れた金属を含んで構成されており、後述するヒートシンク３２０と共に液晶パネル１００の放熱を行う。尚、第１支持部３１２は本発明に係る「支持部」の一例であり、本体部３１４は本発明に係る「本体部」の一例である。
【００６１】
フレーム３１０の光源光が入射する側には、複数のネジ穴３５０が設けられた本体部３１４が設けられている。ネジ穴３５０には図不示のボルトが貫通可能であり、当該ボルトを締め付けることによってフレーム３１０を、外部部材に固定することができる。
【００６２】
第１支持部３１２は、防塵用基板４００を下側から接することにより保持する。第１支持部３１２には、防塵用基板４００を当該第１支持部３１２に固定するための熱伝導性部材の一例である熱伝導性を有する接着剤３１８を充填するための充填用穴３１７が形成されている。充填用穴３１７は、本発明に係る「接着用開口部」の一例である。充填用穴３１７は、第１支持部３１２において防塵用基板４００に接する面に至るまで貫通するように設けられている。
【００６３】
第２支持部３１３には、見切り板６００が取り付けられている。見切り板６００は、図４に示すように、液晶パネル１００の画像表示領域１０ａを囲うように窓状に設けられており、画像表示領域１０ａ以外の領域に光が入射してしまうことを防止する。見切り板６００は、例えばフレーム３１０等の電気光学装置１を構成する他の部材に比べて光反射率の低い材料から形成されている。具体的には、例えば、オーステナイト系ステンレスの代表的な鋼種である、ＳＵＳ３０４から形成されるとよい。見切り板６００は、図示しない係合部においてフレーム３１０と係合されている。
【００６４】
フレーム３１０は、液晶パネル１００との間に充填された接着剤５１０により接着されている。
【００６５】
防塵用基板４００は、フレーム３１０の第１支持部３１２に接するように、液晶パネル１００の対向基板２０に透明接着剤５４０によって貼り付けられている。防塵基板４００は、液晶パネル１００の画像表示領域１０ａを塵や埃から保護する機能を有している。
【００６６】
ここで、図６を参照して、光源光が入射する側から見たときのフレーム３１０の構造について説明する。図６は、本実施形態に係る電気光学装置１からフレーム３１０を抽出して、光源光が入射する側から示した平面図である。
【００６７】
図６において、点線３１２´及び３１３´はそれぞれ第１支持部３１２、第２支持部３１３及び本体部３１４の境界を示している。一点鎖線４００´は防塵用基板４００の外輪郭を示しており、一点鎖線６００´は見切り板６００の外輪郭を示している。
【００６８】
防塵用基板４００の外形形状は、液晶パネル１００の外形形状より大きく形成されているため、フレーム３１０の第１支持部３１２は液晶パネル１００より外側に張り出している防塵用基板４００の端部に接している。このように、第１支持部は、液晶パネル１００が貼り合わされた防塵用基板４００を支持する。本実施形態では特に、フレーム３１０において発生した応力は、防塵用基板４００及び第１支持部３１２を介して、液晶パネル１００に間接的に伝達されるため、液晶パネル１００が受ける応力を軽減することができる。
【００６９】
本体部３１４は、防塵用基板４００上で平面的に見て、画像表示領域１０ａに対応する開口部（即ち、点線３１３´で囲まれた内側の領域）を有しており、第１支持部３１２及び第２支持部３１３は、当該開口部の縁に沿って（即ち、全周に亘って）形成されている。そのため、防塵用基板４００、及び防塵用基板４００に貼り合わされた液晶パネル１００はフレーム３１０内において安定的に固定されている。
【００７０】
再び図４及び図５に戻って、ヒートシンク３２０は、表示面の反対側に位置する背面側から、液晶パネル１００に接するように配置されている。ヒートシンク３２０は、液晶パネル１００において発生した熱を放熱するための放熱部３２５を有している。これにより、液晶パネル１００に熱が蓄積することによって液晶パネル１００の動作不良等の種々の不具合が発生することを防止することができる。また、熱に伴う電気光学装置１の構成部材における歪みを軽減することによって、装置内に生じる応力を軽減することができる。尚、ヒートシンク３２０は、放熱効果を高めるために熱伝導性の高い材料、例えば、鉄、銅、アルミニウム等を含んで構成するとよい。
【００７１】
ヒートシンク３２０には、フレーム３１０及び液晶パネル１００が接着剤５３０によって貼り合わされている。尚、フレーム３１０及びヒートシンク３２０は、図不示の接合部において互いに接合されていてもよい。この場合、接合は、例えば、フレーム３１０に設けられた凹部とヒートシンクに設けられた凸部とを嵌合させることによって行われてもよいし、ネジ等を用いて行われてもよい。接着剤５３０は、空気より高い熱伝導性を有しており、液晶パネル１００において発生した熱を、効率よくヒートシンク３２０に伝達することが可能であり、放熱部３２５における放熱性能を高める機能を有している。
【００７２】
尚、本実施形態では、接着剤５３０は、液晶パネル１００及びヒートシンク３２０間並びにフレーム３１０及びヒートシンク３２０間を充填するように塗布されているが、それぞれ一部にのみ接着剤５３０が塗布されていてもよいし、液晶パネル１００及びヒートシンク３２０間並びにフレーム３１０及びヒートシンク３２０間には接着剤５３０が塗布されていなくてもよい。また、接着剤５３０に代えて又は加えて熱伝導性を有するシートやグリス等を用いてもよい。
【００７３】
ここで、図７を参照して、フレーム３１０の本体部３１４が外部部材７００に取り付けられた場合に、本実施形態に係る電気光学装置１に生じる応力について説明する。図７は、フレーム３１０の本体部３１４が外部部材７００に取り付けられた場合に、本実施形態に係る電気光学装置１に生じる応力を模式的に示す断面図である。
【００７４】
尚、外部部材７００は、本発明に係る「被実装部材」の一例であり、具体的には、電気光学装置１を具備する電子機器として後述する液晶プロジェクターに、本実施形態に係る電気光学装置１がライトバルブとして取り付けられる際に、液晶プロジェクターの内壁に取り付けるための治具部材である。液晶プロジェクターに関しては、後に詳述する。
【００７５】
フレーム３１０は、フレーム３１０に形成されたネジ穴３５０と、外部部材７００に形成されたネジ穴７５０とを貫通するようにボルト８００が挿入され、当該ボルト８００を締め付けることによって、外部部材７００に固定されている。尚、ボルト８００の表面には図不示のネジが切ってあり、ドライバー等を用いてボルト８００を回転させることによって、ボルト８００を締め付け、フレーム３１０を外部部材７００に堅く固定することができる。
【００７６】
ボルト８００が締め付けられると、電気光学装置１の内部に応力が発生する。図６では、フレーム３１０に発生する応力の一例を白抜きの矢印ｂで模式的に図示している。このようにフレーム３１０において発生した応力は、フレーム３１０及び液晶パネル１００間に配置されている各種部材（例えば、フレーム３１０の支持部３１６や、見切り板６００など）を介して、液晶パネル１００に伝達される。
【００７７】
本実施形態では特に、防塵用基板４００は、液晶パネル１００より広く形成されているため、フレーム３１０の第１支持部３１２は液晶パネル１００より外側に張り出している防塵用基板４００の端部に接している。このように、第１支持部は、液晶パネル１００が貼り合わされた防塵用基板４００を支持する。本実施形態では特に、フレーム３１０において発生した応力は、防塵用基板４００及び第１支持部３１２を介して、液晶パネル１００に間接的に伝達されるため、液晶パネル１００が受ける応力は軽減される。
【００７８】
尚、ネジ穴３５０及び７５０にボルト８００を挿入して外部部材７００に固定する例を示したが、さらに、液晶パネル１００にフレーム３１０から伝達される応力を軽減するため、ネジ穴３５０を設けることなく接着剤を介してフレーム３１０の取付部と外部部材７００とを固着させてもよい。また、フレーム３１０の４隅の取付部のうち、対角線上の２つの取付部をネジ穴３５０及び７５０にボルト８００を挿入して固定し、残りの対角線上の２つの取付部を接着剤を介して外部部材７００と固着させてもよい。
【００７９】
また、防塵用基板４００の液晶パネル１００が貼り合わされている面とは反対側から見切り板６００が接することにより、防塵用基板４００が保持されている。そのため、フレーム３１０において生じた応力は見切り板６００を介して、防塵用基板４００に伝達される。見切り板６００は、薄い板状に形成されているため、力が作用すると上下方向に少なからず歪曲可能である（即ち、見切り板６００は弾性を有している）。従って、フレーム３１０から見切り板６００を介して防塵用基板４００に伝達される応力は、見切り板６００の弾性によって吸収され、防塵用基板４００に貼り合わされた液晶パネル１００に伝達される応力は軽減される。
【００８０】
以上説明したように、本実施形態に係る電気光学装置では、液晶パネル１００に伝達される応力を軽減し、表示画像における色むらの発生を防止することができる。
【００８１】
＜第２実施形態＞
続いて、第２実施形態に係る電気光学装置について、図８を参照して説明する。図８は、本実施形態に係る電気光学装置からフレーム３１０を抽出して示す平面図であり、図６と同趣旨のものである。尚、本実施形態に係る電気光学装置において、上述の第１実施形態に係る電気光学装置１と共通する部位に関しては、共通の符号を付すこととし、詳細な説明は省略することとする。
【００８２】
本実施形態では、上述の第１実施形態に比べて第１支持部３１２の形状が異なる。本実施形態では、第１支持部３１２は、フレーム３１０の内側に向かって凸状に張り出すように形成されている。防塵用基板４００は、凸状に張り出した第１支持部３１２の先端付近に接触することにより、支持されている。このように、第１支持部３１２が凸状に張り出すように形成されているので、第１実施形態のように（即ち、本体部３１４の縁の全周に亘って）形成されている場合に比べて、防塵用基板４００と第１支持部３１２との接触面積を少なく抑えることができる。ここで、フレーム３１０から防塵用基板４００に伝達される応力の大きさは、第１支持部３１２と防塵用基板４００との接触面積に依存するため、このように接触面積を減少させることにより、防塵用基板４００に貼り合わされた液晶パネル１００に印加される応力を軽減することができる。
【００８３】
＜第３実施形態＞
続いて、第３実施形態に係る電気光学装置について、図９を参照して説明する。図９は、本実施形態に係る電気光学装置の全体構成を示す斜視図である。尚、本実施形態に係る電気光学装置において、上述の第１実施形態に係る電気光学装置１と共通する部位に関しては、共通の符号を付すこととし、詳細な説明は省略することとする。
【００８４】
本実施形態では、ヒートシンク３２０はフレーム３１０にフック３９０を用いて取り付けられている点において、上述の各実施形態と異なっている。フック３９０は、本発明に係る「フック部材」の一例である。フック３９０は、側面に設けられた開口部３９１を、フレーム３１０に設けられた凸部３１８にひっかけることで固定されており、フレーム３１０及びヒートシンク３２０を固定している。尚、フック３９０は、フレーム３１０に対して取り付けられたヒートシンク３２０の位置がズレないように、支持部３９１で支えている。
【００８５】
上述の各実施形態では、ヒートシンク３２０はフレーム３１０に接着剤３５０によって堅く固定されているため、フレーム３１０及びヒートシンク３２０において生じた応力は、液晶パネル１００に伝達されやすい構造を有している。一方、本実施態様では、例えば、ヒートシンク３２０はフレーム３１０にフック３９０をひっかけることによって固定されているため、発生する応力は軽微である。つまり、フック３９０で固定することにより、フレーム３１０及びヒートシンク３２０に歪みが生じにくく、応力の発生を効果的に防止することができる。
【００８６】
尚、フック３９０は液晶パネル１００の表示面とは反対側に設けられているため、液晶パネル１００の画像表示領域１０ａへの入射光を遮らない。そのため、液晶パネル１００の表示を妨げることなく、効率的なレイアウトでヒートシンク３２０をフレーム３１０に固定することができる。
【００８７】
＜電子機器＞
次に、上述した電気光学装置である液晶装置を各種の電子機器に適用する場合について説明する。ここでは、本発明に係る電子機器として、投射型液晶プロジェクターを例にとる。図１０は、本実施形態に係る投射型液晶プロジェクターの図式的断面図である。
【００８８】
図１０において、本実施形態に係る液晶プロジェクター１１００は、夫々ＲＧＢ用の液晶ライトバルブ１００Ｒ、１００Ｇ及び１００Ｂの３枚を用いた複板式カラープロジェクタとして構築されている。液晶ライトバルブ１００Ｒ、１００Ｇ及び１００Ｂの各々は、上述した反射型の液晶装置が使用されている。
【００８９】
図１０に示すように、液晶プロジェクター１１００では、メタルハライドランプ等の白色光源のランプユニット１１０２から投射光が発せられると、２枚のミラー１１０６、２枚のダイクロイックミラー１１０８及び３つの偏光ビームスプリッタ（ＰＢＳ）１１１３によって、ＲＧＢの３原色に対応する光成分Ｒ、Ｇ及びＢに分けられ、各色に対応する液晶ライトバルブ１００Ｒ、１００Ｇ及び１００Ｂに夫々導かれる。尚、この際、光路における光損失を防ぐために、光路の途中にレンズを適宜設けてもよい。そして、液晶ライトバルブ１００Ｒ、１００Ｇ及び１００Ｂにより夫々変調された３原色に対応する光成分は、クロスプリズム１１１２により合成された後、投射レンズ１１１４を介してスクリーン１１２０にカラー映像として投射される。
【００９０】
尚、液晶ライトバルブ１００Ｒ、１００Ｂ及び１００Ｇには、ダイクロイックミラー１１０８及び偏光ビームスプリッタ１１１３によって、Ｒ、Ｇ、Ｂの各原色に対応する光が入射するので、カラーフィルターを設ける必要はない。
【００９１】
図１０を参照して説明した電子機器の他にも、モバイル型のパーソナルコンピューターや、携帯電話、液晶テレビ、ビューファインダー型、モニタ直視型のビデオテープレコーダー、カーナビゲーション装置、ページャー、電子手帳、電卓、ワードプロセッサー、ワークステーション、テレビ電話、ＰＯＳ端末、タッチパネルを備えた装置等が挙げられる。そして、これらの各種電子機器に、本発明の電気光学装置を適用可能なのは言うまでもない。
【００９２】
本発明は、上述の実施形態で説明した反射型の液晶装置以外にも、透過型液晶装置、プラズマディスプレイ（ＰＤＰ）、電解放出型ディスプレイ（ＦＥＤ、ＳＥＤ）、有機ＥＬディスプレイ、デジタルマイクロミラーデバイス（ＤＭＤ）、電気泳動装置等にも適用可能である。
【００９３】
本発明は、上述した実施形態に限られるものではなく、特許請求の範囲及び明細書全体から読み取れる発明の要旨或いは思想に反しない範囲で適宜変更可能であり、そのような変更を伴う電気光学装置、及び該電気光学装置を備えた電子機器もまた本発明の技術的範囲に含まれるものである。
【符号の説明】
【００９４】
１００…液晶パネル、２００…フレキシブル基板、３１０…フレーム、３１２…第１支持部、３１３…第２支持部、３２０…ヒートシンク、３２５…放熱部、３９０…フック、４００…防塵用基板、６００…見切り板、７００…外部部材、８００…ボルト。
【図１】
0005928571.tif 000002
【図２】
0005928571.tif 000003
【図３】
0005928571.tif 000004
【図４】
0005928571.tif 000005
【図５】
0005928571.tif 000006
【図６】
0005928571.tif 000007
【図７】
0005928571.tif 000008
【図８】
0005928571.tif 000009
【図９】
0005928571.tif 000010
【図１０】
0005928571.tif 000011